(57)【要約】【課題】部屋２の臭気等が共通スペース３に集まることを防止し、設置コストや運転コストを低減した換気システム６を提供する。【構成】居室４やトイレ５（または浴室）などからなる複数の部屋２と共用スペース３を有する建物１に給排気用のファンユニット７を有する換気システム６を設ける。建物１の外気をファンユニット７の給気ファンで吸引して共用スペース３の天井に設けた給着口９に集中的に給気し、居室４の空気はその排気口８から共用スペース３を介さずファンユニット７の排気ファンで建物１の外部に排気する。トイレ５の空気は局所排気用の換気ファン１４で排気する。【選択図】        図１
2004239568.tif 000002
【特許請求の範囲】
【請求項１】
居室４を含む複数の部屋２と共用スペース３を有する建物１の換気システムにおいて、前記共用スペース３に集中的に給気する給気手段１６と、前記居室４から共用スペース３を介さず個別に排気する排気手段１７を設けたことを特徴とする建物の換気システム。
【請求項２】
請求項１において、前記複数の部屋２には浴室および／またはトイレ５を含むことを特徴とする建物の換気システム。
【請求項３】
請求項１または２において、一体化された給排用のファンユニット７が前記給気手段１６と排気手段１７の一部を構成していることを特徴とする建物の換気システム。
【請求項４】
請求項１ないし３のいずれかにおいて、前記給気手段１６と排気手段１７の間で熱交換する熱交換部１５を有することを特徴とする建物の換気システム。
【発明の詳細な説明】
【０００１】
【発明の属する技術分野】
本発明は複数の部屋と共用スペースを有する建物の換気システムに関し、特に各部屋からの匂いや湿気などが共有スペースに集まることのない換気システムに関する。
【０００２】
【従来の技術】
一般の個建住宅、マンションなどの集合住宅、あるいは事務所ビルなどの建物は、居室または事務室などの快適性を求める領域（以下本発明では、これらを単に居室という）、いわゆる水回り領域といわれているトイレや浴室、等の複数の部屋が配置され、さらにそれら部屋に連絡する廊下やホール等の共用スペースを備えている。そして居室等の部屋を快適な居住環境にするため、建物には全体を換気する換気システムを設けることが多い。
【０００３】
図２は従来から採用されている建物全体の換気システムを説明する図である。建物１は複数の部屋２と、それら部屋２に連絡する廊下やホールなどの共用スペース３を備えている。部屋２としては図示のような居室４やトイレ５などがある。なお通常、居室４は複数備えられることが多いが、図２にはその１つのみを代表的に示す。
【０００４】
換気システム６は共用スペース３の天井裏に設けたファンユニット７と、共用スペース３の天井に設けた排気口８と、居室４の天井に設けた給気口９と、ファンユニット７と給気口９を接続する給気ダクト１０と、ファンユニット７と建物１の換気口１１とを接続する給気ダクト１２や排気ダクト１３を備えている。そして居室４を複数備える場合には、各居室４にそれぞれ給気口９が設けられ、それら給気口９とファンユニット７の間が給気ダクト１０で接続される
【０００５】
ファンユニット７の内部には図示しない１つ以上のモータにより駆動される給気ファンと排気ファンが設けられる。そして給気ファンは換気口１１から給気ダクト１２を経て吸引した外気を給気ダクト１０から給気口８を経て矢印Ｂのように居室４に給気する。また排気ファンは共用スペース３の空気を排気口８から矢印Ｄのように吸引し、排気ダクト１３を経て換気口１１から建物外部に排出する。その際、給気ダクト１２と排気ダクト１３の間に熱交換が行われる。
【０００６】
給気口９から居室４に給気すると、居室４内の古い空気は矢印Ｃで示すようにそのドアの僅かな隙間を通って共通スペース３に排出し、そこから矢印Ｄで示すように排気口８に吸い込まれる。それによって居室４の換気と共に共用スペース３の換気が行われる。
【０００７】
一方、トイレ５には局所換気用の換気ファン１４が設けられ、この換気ファン１４を運転することによりトイレ５内の臭気を含んだ空気が矢印Ｇのように速やかに屋外に排出される。なお部屋２としての浴室がある場合にはその内部の湿気を速やかに屋外に排出するため、浴室にも同様な局所換気用の換気ファンが設けられる。
【０００８】
【発明が解決しようとする課題】
しかし上記のように構成される従来の換気システムでは、建物１内部の空気を外部に排出する際に、居室４の空気は廊下などの共用スペース３を通過するようになっている。また、トイレ５のドアには僅かな隙間があるので、その隙間からトイレ４内の空気の一部が矢印Ｆのように共用スペース３に流出する。また浴室が存在する場合にも同様にその浴室のドアの僅かな隙間から浴室内部の空気の一部が共用スペース３に流出する。
【０００９】
そのため例えば居室４内で図示のように喫煙すると、その煙、臭い成分、矢に成分等が共用スペース４に流入して臭いやヤニなどが壁に定着する。また、トイレ４の空気に同伴して流出する臭い成分、または浴室の空気に同伴して流出する湿気なども共用スペース４に漏洩してそれらの臭いや湿気が壁に定着する。
【００１０】
また、居室４の給気口９とファンユニット７を接続する給気ダクト１０は、居室の位置にもよるが長くなることが多いので、給気が給気ダクト１０を通過する間に流量抵抗による圧力損失がかなり大きくなる。また居室４の圧力は給気のために外気より高くなる。そのためファンユニット７の給気ファンがこれら高い圧力損失と居室４の内部圧に打ち勝って給気を行うには、給気ファンを駆動するモータの容量が大きくなり、それに応じてファンニット７の寸法と重量も増加し、設置コストおよび消費電力増大による運転コストが大きくなるという問題がある。さらに居室４は通常複数存在するので、給気ダクト１０もそれに応じて敷設する必要があり、上記給気ファンの容量増加の影響がさらに大きくなる。
【００１１】
また、給気により居室４の内部圧は外気圧より高くなるので、居室４の暖かく湿った空気が壁内に浸透しやすくなり、冬季に浸透した空気が壁を構成する温度の低い最外壁に触れて壁内結露を発生するという問題もある。
【００１２】
さらに、ファンユニット７から最も近い居室４では、その給気口９とファンユニット３を接続する給気ダクト１０の長さが比較的短いので、給気に同伴してファニュニット７の内部騒音がかなりのレベルでその居室４に伝播するという問題もある。
【００１３】
さらに、トイレ５や浴室の空気は局所排気用の換気ファン１４で矢印Ｇのように建物外部に排出するが、その一部は矢印Ｆのように共用スペース３に吸引されて流出する。そのため空気の流れは矢印ＧとＦの間で取り合いになり、矢印Ｇの排気量が不安定になって換気が速やかに行われない場合もある。
そこで本発明は従来の換気システムのこれら問題を解決することを課題とし、そのための新しい換気システムを提供することを目的とする。
【００１４】
【課題を解決するための手段】
前記課題を解決する本発明は、居室を含む複数の部屋と共用スペースを有する建物の換気システムである。そして本システムは、前記共用スペースに集中的に給気する給気手段と、前記居室から共用スペースを介さず個別に排気する排気手段を設けたことを特徴とする（請求項１）。
【００１５】
上記換気システムにおいて、前記複数の部屋には浴室および／またはトイレを含むことができる（請求項２）。
【００１６】
上記いずれかの換気システムにおいて、一体化された給排用のファンユニットが前記給気手段と排気手段の一部を構成することができる（請求項３）。
【００１７】
さらに上記いずれかの換気システムにおいて、前記給気手段と排気手段の間で熱交換する熱交換部を有することができる（請求項４）。
【００１８】
【発明の実施の形態】
次に本発明の実施の形態を図面により説明する。図１は本発明に係る建物全体を換気する換気システムの説明図である。建物１は図２に示すものと同様に、複数の部屋２とそれらに連絡する廊下やホールなどの共用スペース３を備えている。部屋２としては図示のような１つまたは複数の居室４、トイレ５や図示しない浴室などがある。
【００１９】
換気システム６は共用スペース３の天井裏に設けたファンユニット７と、共用スペース３の天井に設けた給気口９と、居室４の天井に設けた排気口８と、ファンユニット７と排気口８を接続する排気ダクト１０ａと、ファンユニット７と建物１の換気口１１とを接続する給気ダクト１２および排気ダクト１３を備えている。そして居室４を複数備える場合には、各居室４にそれぞれ給気口９が設けられ、それら給気口９とファンユニット７の間が給気ダクト１０で接続される。
【００２０】
ファンユニット７は図２に示すものと同様なものを使用できる。すなわちその内部には図示しない１つ以上のモータにより駆動される給気ファンと排気ファンが設けられる。給気ファンは換気口１１から給気ダクト１２を経て供給される外気を吸引して、共用スペース３に設けた給気口８に矢印Ｂのように給気する。また排気ファンは居室４の空気を共用スペース３に通すことなく、排気口８より矢印Ｄのように吸引し、排気ダクト１０ａ、１３を経て換気口１１から建物外部に排出する。
【００２１】
そしてファンユニット７には給気と排気の間に熱交換を行う熱交換部１５（詳細は図示せず）が設けられる。また図示のように、給気ダクト１２と排気ダクト１３を互いに密着して延長し、それらを共通の断熱層で被覆することにより、該部分に熱交換部１５を構成することができる。
【００２２】
そして、給気ダクト１２、ファンユニット７の給気ファン、共用スペース３の給気口９により本発明における給気手段１６が構成され、居室４の排気口８、排気ダクト１０ａ、ファンユニット７の排気ファン、排気ダクト１３により本発明における排気手段１７が構成される。
【００２３】
一方、トイレ５には局所換気用の換気ファン１４が設けられ、この換気ファン１４を運転することにより、トイレ５内の空気を共用スペース３に通すことなく矢印Ｇのように速やかに屋外に排出できる。なお部屋２として浴室がある場合には、その内部の湿気を速やかに屋外に排出するために同様な局所換気用の換気ファンが設けられる。
【００２４】
本実施形態においてファニュニット７を運転すると、前記のように共用スペース３の給気口９に外気が給気されるので、共用スペース３の内部圧は外気圧より幾分高くなる。一方、居室４はその排気口８から内部の空気が排出されるので、内部圧は外気よりごく僅か低くなる。またトイレ５の空気は換気ファン１４を運転することにより建物１の外部に速やかに排出される。
【００２５】
そして共用スペース３の空気の一部は、居室４との僅かな隙間から圧力差により矢印Ｃのように居室４内に流入し、そこから排気口８を経て建物外部に排出される。さらに共用スペース３の空気の一部は、トイレ５との僅かな隙間から圧力差によりトイレ５内に矢印Ｆのように流入し、そこから換気ファン１４によりトイレ５内の空気とともに建物外部に排出する。
【００２６】
本発明に係る換気システムは、上記のように共用スペース３から空気が居室４やトイレ５（および／または浴室）に流れるようになっているので、従来の換気システムのように居室４の煙や臭い、トイレの臭気、あるいは浴室の湿気などが共用スペース３に集まることはない。
【００２７】
また、共用スペース３の給気口９とファンユニット７の給気ファンとの距離が極めて短いので、その間の流量抵抗による圧力損失も僅かである。そのためファンユニット７の給気ファンを駆動するモータの容量も小さくなり、それに応じてファンニット７の寸法と重量も小さくなる結果、ファンユニット７の設置コストおよび消費電力減少によるその運転コストも小さくなる。
【００２８】
さらに、居室４の内部圧が外気圧より僅かに低くなるので、冬季に居室４の暖かく湿った空気が壁内に浸透することもなく、壁内結露を発生する恐れがない。
さらに、居室４にはファンユニット７からの給気がないので、従来のように給気に同伴してファニュニット７の内部騒音がかなりのレベルで居室４に伝播するという問題もない。
【００２９】
さらに、共用スペースの圧力がトイレ５や浴室の圧力より高くなるので、それらに設ける換気ファン１４の換気の流れが不安定になるという問題もない。さらに、給気と排気の間で熱交換する熱交換部１５を設けているので、冬季においては温度の低い外気を暖房設備で暖められた排気で加温して熱エネルギーを回収することができ、夏季においては温度の高い外気を冷房設備で冷却された排気で冷却して熱エネルギーを回収することができる。
【００３０】
【発明の効果】
以上のように本発明に係る換気システムは、共用スペースに集中的に給気する給気手段と、複数の部屋から共用スペースを介さず個別に排気する排気手段を設けたことを特徴とする。そのため共用スペースから空気が部屋に流れるようになっているので、従来の換気システムのように部屋の臭気等が共通スペースに集まることはない。また、共用スペースへの給気の圧力損失を小さくできるので給気手段の容量が小さくなり、それに応じて寸法と重量も小さくなる。さらにそれによって給気手段の設置コストおよび消費電力減少による運転コストも小さくなる。
さらに、部屋の内部圧を外気圧より僅かに低くできるので、冬季に居室などの暖かく湿った空気がその壁内に浸透することも少なくなり、壁内結露を発生するおそれがない。
【００３１】
上記換気システムにおいて、複数の部屋には浴室および／またはトイレを含むことができる。その場合に、浴室の湿気やトイレの臭気が共用スペースに集まることがなく、共用スペースの圧力がトイレや浴室の圧力より高くなるので、それらに設ける換気ファンの換気の流れが不安定になるという問題もない。
【００３２】
上記いずれかの換気システムにおいて、一体化された給排用のファンユニットが前記給気手段と排気手段の一部を構成することができる。その場合に、居室などにはファンユニットからの給気がないので、従来のように給気に同伴してファンユニットの内部騒音が居室にかなりのレベルで伝播するという問題はない。
【００３３】
さらに上記いずれかの換気システムにおいて、前記給気手段と排気手段の間で熱交換する熱交換部を有することができる。そのような熱交換部を設けることにより、冬季においては温度の低い外気を暖房設備で暖められた排気で加温して熱エネルギーを回収することができ、夏季においては温度の高い外気を冷房設備で冷却された排気で冷却して熱エネルギーを回収することができる。
【図面の簡単な説明】
【図１】
本発明に係る建物全体を換気する換気システムの説明図。
【図２】
従来の建物全体を換気する換気システムの説明図。
【符号の説明】
１  建物
２  部屋
３  共用スペース
４  居室
５  トイレ
６  換気システム
７  ファンユニット
８  排気口
９  給気口
１０  給気ダクト
１０ａ  排気ダクト
１１  換気口
１２  給気ダクト
１３  排気ダクト
１４  換気ファン
１５  熱交換部
１６  給気手段
１７  排気手段
【図１】
2004239568.tif 000003
【図２】
2004239568.tif 000004